(57)【要約】【課題】本発明は、絶縁紙を二重とし、相絶縁紙も一部二重として絶縁耐力を向上し、部分放電開始電圧を上げることを目的とする。【解決手段】本発明による回転電動機の電機子絶縁構造は、第１、第２絶縁紙（３、３Ａ）によって二重絶縁とし、相絶縁紙（５）を一部二重状とすることにより、絶縁耐力の向上及び部分放電開始電圧の上げを行うようにした構成である。【選択図】        図１
2004350434.tif 000002
【特許請求の範囲】
【請求項１】
複数の磁極（２）によって形成されたスロット（１）内に絶縁紙及び相絶縁紙（５）を介して、予め輪状に巻回された第１、第２相巻線（４、６）を挿入し、スロットカバー部材（７）を前記スロット（１）の入口（１ａ）内に挿入して前記相巻線（４、６）を覆うようにした回転電動機の電機子絶縁構造において、
前記絶縁紙は第１、第２絶縁紙（３、３Ａ）からなり、前記第１絶縁紙（３）はＵ字型で前記スロット（１）の内面に直接接合し、
前記第２絶縁紙（３Ａ）は前記第１絶縁紙（３）の内面（３ａ）に直接接合して配設され、第１一端に第１曲折部（３Ａａ）及び第１他端に第２曲折部（３Ａｃ）を有し、
前記相絶縁紙（５）は全体形状がＺ字型をなし、第２一端（５ａ）が前記第１曲折部（３Ａａ）の内面に接合すると共に第２他端（５ｂ）が前記第２絶縁紙（３Ａ）の底部内面（３Ａｂ）に接合し、
前記相絶縁紙（５）の中央部（５ｃ）に前記第２絶縁紙（３Ａ）の第２曲折部（３Ａｃ）に接合し、前記第１、第２相巻線（４、６）が前記相絶縁紙（５）により分離されていることを特徴とする回転電動機の電機子絶縁構造。
【請求項２】
前記スロットカバー部材（７）の両端は、前記第１絶縁紙（３）の内側に位置していることを特徴とする請求項１記載の回転電動機の電機子絶縁構造。
【発明の詳細な説明】
【０００１】
【発明の属する技術分野】
本発明は、回転電動機の電機子絶縁構造に関し、特に、絶縁紙を二層とし、相絶縁紙の形状をＺ字型とすることにより、絶縁耐力を向上させ、部分放電開始電圧を上げることができるようにするための新規な改良に関する。
【０００２】
【従来の技術】
従来、用いられていたこの種の回転電動機の電機子絶縁構造としては、例えば、スロット内での巻線の層分離を行う構成（特許文献１参照）が採用されていた。
また、これらのスロット内での二相巻線の構成としては、図２及び図３で示される構造が社内で採用されている。
図２において、符号１で示されるものは電機子の各磁極２間に形成されたスロットであり、このスロット１内にはＵ字型の第１絶縁紙３を介して予め輪状に巻回された第１相巻線４を挿入し、さらに、全体形状がＣ字型をなす相絶縁紙５を介して第２相巻線６が設けられている。
前記スロット１の入口１ａ内には、前述の各相巻線４、６が飛び出すことのないように、コ字型をなすスロットカバー部材７が挿入して内設されている。
【０００３】
次に、図３で示される構成は、図２の構成とほぼ同様であるため、図２と同一部分には同一符号を付し、その説明を省略するが、前記スロットカバー部材７が第１絶縁紙３の両端の内側間に配設されている。
【０００４】
【特許文献１】
特開平９−１２１４９５号公報
【０００５】
【発明が解決しようとする課題】
従来の回転電動機の電機子絶縁構造は、以上のように構成されていたため、次のような課題が存在していた。
すなわち、図２及び図３の構成においては、絶縁紙が一層であるため、絶縁耐力が低く、電機子における部分放電開始電圧を上げることが困難であった。
また、相絶縁紙も一層であり、前述と同様の課題が存在していた。
【０００６】
本発明は、以上のような課題を解決するためになされたもので、特に、絶縁紙を二層とし、相絶縁紙の形状をＺ字型とすることにより、絶縁耐力を向上させ、部分放電開始電圧を上げることができるようにした回転電動機の電機子絶縁構造を提供することを目的とする。
【０００７】
【課題を解決するための手段】
本発明による回転電動機の電機子絶縁構造は、複数の磁極によって形成されたスロット内に絶縁紙及び相絶縁紙を介して、予め輪状に巻回された第１、第２相巻線を挿入し、スロットカバー部材を前記スロットの入口内に挿入して前記相巻線を覆うようにした回転電動機の電機子絶縁構造において、前記絶縁紙は第１、第２絶縁紙からなり、前記第１絶縁紙はＵ字型で前記スロットの内面に直接接合し、前記第２絶縁紙は前記第１絶縁紙の内面に直接接合して配設され、第１一端に第１曲折部及び第１他端に第２曲折部を有し、前記相絶縁紙は全体形状がＺ字型をなし、第２一端が前記第１曲折部の内面に接合すると共に第２他端が前記第２絶縁紙の底部内面に接合し、前記相絶縁紙の中央部に前記第２絶縁紙の第２曲折部に接合し、前記第１、第２相巻線が前記相絶縁紙により分離されている構成であり、また、前記スロットカバー部材の両端は、前記第１絶縁紙の内側に位置している構成である。
【０００８】
【発明の実施の形態】
以下、図面と共に本発明による回転電動機の電機子絶縁構造の好適な実施の形態について説明する。尚、従来例と同一又は同等部分には同一符号を付して説明する。
図１において符号１で示されるものは電機子の各磁極２間に形成されたスロットであり、このスロット１内にはＵ字型の第１絶縁紙３が挿入され、この第１絶縁紙３の内側には、その内面３ａに接合するように第２絶縁紙３Ａが内設されている。
【０００９】
前記第２絶縁紙３Ａの内側の一方の側には、予め輪状に巻回された第１相巻線４が挿入して設けられ、全体形状がＺ字型をなす相絶縁紙５がこの第１相巻線４の側部を覆うように設けられている。
【００１０】
前記第２絶縁紙３Ａの内方へ曲折する第１一端である第１曲折部３Ａａは、相絶縁紙５の第２一端５ａと接合し、この相絶縁紙５の第２他端５ｂは第２絶縁紙３Ａの底部内面３Ａｂに接合している。
【００１１】
前記相絶縁紙５の他の側部位置（図１で右側）には、予め輪状に巻回され第１相巻線３とは相が異なる第２相巻線６が挿入して内設され、前記第２絶縁紙３Ａの第１他端である第２曲折部３Ａｃは、前記相絶縁紙５の中央部５ｃに接合している。
【００１２】
前記第２相巻線６は前記第２曲折部３Ａｃの内側に位置し、前記相絶縁紙５の中央部５ｃに前記第２曲折部３Ａｃが接合することにより、この中央部５ｃの領域においては、相絶縁紙５が他の部分と同様に二重状に形成されている。
尚、図１において、第１、第２絶縁紙３、３Ａと前記中央部５ｃにおける絶縁紙の二重構造は、図示の状態では分かりやすくするために互いに離れているように示されているが、実際には互いに接合している。
【００１３】
前記スロット１の入口１ａ内には、断面コ字型をなすスロットカバー部材７が内設され、このスロットカバー部材７の両端は前記第１絶縁紙３の両端の内側に接合し、前記第１曲折部３Ａａ等が前記入口１ａから外方へ飛び出さないように構成されている。
【００１４】
【発明の効果】
本発明による回転電動機の電機子絶縁構造は、以上のように構成されているため、次のような効果を得ることができる。
すなわち、絶縁紙が二重構造で形成されると共に、相絶縁紙も一部で二重状に形成されているため、電機子の絶縁耐力が向上し、それにより、電機子の部分放電開始電圧を上げることができる。
また、相絶縁紙の全体形状がＺ字型をなしているため、第２絶縁紙との接続が容易で、より耐圧性のよい構造を得ることができる。
【図面の簡単な説明】
【図１】本発明による回転電動機の電機子絶縁構造を示す断面図である。
【図２】従来構造を示す断面図である。
【図３】従来構造を示す断面図である。
【符号の説明】
１    スロット
１ａ    入口
２    磁極
３    第１絶縁紙
３ａ    内面
３Ａ    第２絶縁紙
３Ａａ    第１曲折部（第１一端）
３Ａｂ    底部内面
３Ａｃ    第２曲折部（第１他端）
４    第１相巻線
５    相絶縁紙
５ａ    第２一端
５ｂ    第２他端
５ｃ    中央部
６    第２相巻線
７    スロットカバー部材
【図１】
2004350434.tif 000003
【図２】
2004350434.tif 000004
【図３】
2004350434.tif 000005